(57)【特許請求の範囲】
【請求項１】
略長方形の表示面を持つ薄型の表示部と、
前記表示部を支持するスタンド部と、
前記表示部の背面中心部に固設され、前記表示部を前記スタンド部に対して少なくとも９０°回転可能であるように保持する水平回転軸とを備えた薄型表示装置であって、
前記水平回転軸の回転動作に連動して、該水平回転軸を上下方向に移動させることにより、前記表示部を上下方向に並進動作させる並進動作手段を設けたことを特徴とする薄型表示装置。
【請求項２】
前記請求項１に記載の薄型表示装置において、
前記並進動作手段は、前記スタンド部に設けられていることを特徴とする薄型表示装置。
【請求項３】
前記請求項２に記載の薄型表示装置において、
前記並進動作手段は、前記水平回転軸が回転自在に取り付けられた、上下方向に移動自在の垂直昇降軸と、
前記垂直昇降軸に当接し、前記水平回転軸の回転動作に連動して回転するカム部とを有することを特徴とする薄型表示装置。
【請求項４】
前記請求項３に記載の薄型表示装置において、
前記垂直昇降軸に、前記カム部の回転をガイドするためのガイド部を設けたことを特徴とする薄型表示装置。
【請求項５】
前記請求項３又は４に記載の薄型表示装置において、
前記スタンド部に、前記カム部の回転をガイドするためのガイド部を設けたことを特徴とする薄型表示装置。
【請求項６】
前記請求項３乃至５のいずれかに記載の薄型表示装置において、
前記スタンド部に、前記カム部又は前記水平回転軸の一部と当接して前記水平回転軸の回転範囲を規制する回転規制部を設けたことを特徴とする薄型表示装置。
【請求項７】
前記請求項３乃至６のいずれかに記載の薄型表示装置において、
前記スタンド部の内部に、前記垂直昇降軸を上下移動方向に付勢することにより、前記表示部の回転動作に負荷を与える付勢部を設けたことを特徴とする薄型表示装置。
【請求項８】
前記請求項１に記載の薄型表示装置において、
前記並進動作手段は、前記水平回転軸に設けられていることを特徴とする薄型表示装置。
【請求項９】
前記請求項８に記載の薄型表示装置において、
前記並進動作手段は、上下方向に移動自在な状態で、前記スタンド部に当接し、前記水平回転軸に連動して回転するカム部を有することを特徴とする薄型表示装置。
【請求項１０】
前記請求項９に記載の薄型表示装置において、
前記スタンド部に、前記カム部の回転をガイドするためのガイド部を設けたことを特徴とする薄型表示装置。
【請求項１１】
前記請求項９又は１０のいずれかに記載の薄型表示装置において、
前記スタンド部に、前記カム部又は前記水平回転軸の一部と当接して前記水平回転軸の回転範囲を規制する回転規制部を設けたことを特徴とする薄型表示装置。
【請求項１２】
前記請求項１に記載の薄型表示装置において、
前記並進動作手段は、前記表示部と前記スタンド部との双方に設けられていることを特徴とする薄型表示装置。
【請求項１３】
前記請求項１２に記載の薄型表示装置において、
前記並進動作手段は、前記表示部背面に設けられた少なくとも１つの突起部と、
前記水平回転軸が回転自在に取り付けられた、上下方向に移動自在の垂直昇降軸と、
前記スタンド部に設けられ、前記表示部の回転動作にともなう前記突起部の軌跡をガイドすることにより、前記垂直昇降軸を上下方向に移動制御するレール部とを有することを特徴とする薄型表示装置。
【請求項１４】
前記請求項１３に記載の薄型表示装置において、
前記レール部は、略直線状或いは上側に凸形状を有することを特徴とする薄型表示装置。
【請求項１５】
前記請求項１３又は１４に記載の薄型表示装置において、
前記レール部の内周面に、前記突起部と係合する波形状部を設けたことを特徴とする薄型表示装置。
【請求項１６】
前記請求項１３乃至１５のいずれかに記載の薄型表示装置において、
前記突起部は、前記レール部の内面に当接しながら回転可能な回転体を有することを特徴とする薄型表示装置。
【請求項１７】
前記請求項１３乃至１６のいずれかに記載の薄型表示装置において、
前記レール部の内周面あるいは前記突起部の外周面に、前記突起部の前記レール部からの脱落を防止するための凹部又は凸部を設けたことを特徴とする薄型表示装置。
【請求項１８】
前記請求項１３乃至１７のいずれかに記載の薄型表示装置において、
前記レール部の内周面あるいは前記突起部の外周面に、前記レール部と前記突起部との摩擦を抑制するための布素材を貼設したことを特徴とする薄型表示装置。
【請求項１９】
前記請求項１３乃至１８のいずれかに記載の薄型表示装置において、
前記スタンド部に、前記垂直昇降軸の急激な上下移動を防止するための付勢部を設けたことを特徴とする薄型表示装置。
【請求項２０】
前記請求項１３乃至１９のいずれかに記載の薄型表示装置において、
前記レール部あるいは前記突起部に、前記突起部の急激な回転動作による衝撃を緩和するための付勢部を設けたことを特徴とする薄型表示装置。
【発明の詳細な説明】
【０００１】
【発明の属する技術分野】
本発明は、液晶表示装置などの薄型表示装置に関し、特に表示画面の縦横状態を切替えることが可能な薄型表示装置に関するものである。
【０００２】
【従来の技術】
従来から、液晶表示装置などの薄型表示装置において、表示画面を横長とした状態から、縦長とする状態に切り替える機構が各種提案されており、例えば特開平１１‐３３８３６３号公報には、表示部を回転させる動作と上下に移動させる動作とを組み合わせた動作を行う機構により、表示部の回転機構と上下動機構とを個別に持たない、簡単な構造の画面縦横切替え機構が記載されている。
【０００３】
これによれば、表示部とスタンドとの間にリンク棒と呼ばれる棒状の接続用部材を配し、リンクの上端（回転軸部Ａ）をスタンドに回転可能にかつその回転角を維持可能に取り付け、リンクの下端（回転軸部Ｂ）を表示部の画面中心から偏介した位置に回転可能にかつその回転角を維持可能に取り付けることにより、表示画面を横長とした状態で、まず初めに表示部を回転軸部Ｂを中心として角度αだけ回転させた後、次いで回転軸部Ａを中心として角度βだけ回転させることによって、表示画面を縦長の状態に切替えることを可能としている。
【０００４】
【発明が解決しようとする課題】
しかしながら、上述した従来の薄型表示装置の画面縦横切替え機構においては、回転軸部Ａ，Ｂのよる２種類の回転運動を経て、表示画面の縦横を切替えているので、切替え動作が一挙動で完結せず、特に大画面表示装置に適用した場合、表示画面の縦横切替えに手間がかかるという問題がある。また、回転中心が画面中心部付近ではないので、このときの表示部の回転モーメントが表示部の中心部を回転軸とした回転モーメントよりも大きくなり、回転し易さが損なわれる可能性もある。その結果、表示画面の縦横切替え動作のプロセスが極めて不安定となるという問題もある。
【０００５】
本発明は、上記課題に鑑みてなされたものであり、表示部の横長状態から縦長状態への遷移を一挙動で可能とするとともに、表示部の略中央部分を中心として該表示部の回転動作を行わせることが可能な薄型表示装置を提供するものである。
【０００６】
【課題を解決するための手段】
本願の第１の発明は、略長方形の表示面を持つ薄型の表示部と、前記表示部を支持するスタンド部と、前記表示部の背面中心部に固設され、前記表示部を前記スタンド部に対して少なくとも９０°回転可能であるように保持する水平回転軸とを備えた薄型表示装置であって、前記水平回転軸の回転動作に連動して、該水平回転軸を上下方向に移動させることにより、前記表示部を上下方向に並進動作させる並進動作手段を設けたことを特徴とする。
【０００７】
本願の第２の発明は、前記並進動作手段が、前記スタンド部に設けられていることを特徴とする。
【０００８】
本願の第３の発明は、前記並進動作手段が、前記水平回転軸が回転自在に取り付けられた、上下方向に移動自在の垂直昇降軸と、前記垂直昇降軸に当接し、前記水平回転軸の回転動作に連動して回転するカム部とを有することを特徴とする。
【０００９】
本願の第４の発明は、前記垂直昇降軸に、前記カム部の回転をガイドするためのガイド部を設けたことを特徴とする。
【００１０】
本願の第５の発明は、前記スタンド部に、前記カム部の回転をガイドするためのガイド部を設けたことを特徴とする。
【００１１】
本願の第６の発明は、前記スタンド部に、前記カム部又は前記水平回転軸の一部と当接して前記水平回転軸の回転範囲を規制する回転規制部を設けたことを特徴とする。
【００１２】
本願の第７の発明は、前記スタンド部の内部に、前記垂直昇降軸を上下移動方向に付勢することにより、前記表示部の回転動作に負荷を与える付勢部を設けたことを特徴とする。
【００１３】
本願の第８の発明は、前記並進動作手段が、前記水平回転軸に設けられていることを特徴とする。
【００１４】
本願の第９の発明は、前記並進動作手段が、上下方向に移動自在な状態で、前記スタンド部に当接し、前記水平回転軸に連動して回転するカム部を有することを特徴とする。
【００１６】
本願の第１０の発明は、前記スタンド部に、前記カム部の回転をガイドするためのガイド部を設けたことを特徴とする。
【００１７】
本願の第１１の発明は、前記スタンド部に、前記カム部又は前記水平回転軸の一部と当接して前記水平回転軸の回転範囲を規制する回転規制部を設けたことを特徴とする。
【００１８】
本願の第１２の発明は、前記並進動作手段が、前記表示部と前記スタンド部との双方に設けられていることを特徴とする。
【００１９】
本願の第１３の発明は、前記並進動作手段が、前記表示部背面に設けられた少なくとも１つの突起部と、前記水平回転軸が回転自在に取り付けられた、上下方向に移動自在の垂直昇降軸と、前記スタンド部に設けられ、前記表示部の回転動作にともなう前記突起部の軌跡をガイドすることにより、前記垂直昇降軸を上下方向に移動制御するレール部とを有することを特徴とする。
【００２０】
本願の第１４の発明は、前記レール部が、略直線状或いは上側に凸形状を有することを特徴とする。
【００２１】
本願の第１５の発明は、前記レール部の内周面に、前記突起部と係合する波形状部を設けたことを特徴とする。
【００２２】
本願の第１６の発明は、前記突起部が、前記レール部の内面に当接しながら回転可能な回転体を有することを特徴とする。
【００２３】
本願の第１７の発明は、前記レール部の内周面あるいは前記突起部の外周面に、前記突起部の前記レール部からの脱落を防止するための凹部又は凸部を設けたことを特徴とする。
【００２４】
本願の第１８の発明は、前記レール部の内周面あるいは前記突起部の外周面に、前記レール部と前記突起部との摩擦を抑制するための布素材を貼設したことを特徴とする。
【００２５】
本願の第１９の発明は、前記スタンド部に、前記垂直昇降軸の急激な上下移動を防止するための付勢部を設けたことを特徴とする。
【００２６】
本願の第２０の発明は、前記レール部あるいは前記突起部に、前記突起部の急激な回転動作による衝撃を緩和するための付勢部を設けたことを特徴とする。
【００２７】
【発明の実施の形態】
＜第１実施形態＞
以下、本発明の薄型表示装置の第１実施形態について、図１乃至図３とともに詳細に説明する。ここで、図１は本実施形態の薄型表示装置における（ａ）横長画面状態を示す背面断面図、（ｂ）縦長画面状態を示す背面断面図、図２は本実施形態の薄型表示装置におけるカム部を示す（ａ）正面図、（ｂ）側面図、図３は本実施形態の薄型表示装置における（ａ）横長画面状態を示す要部側断面図、（ｂ）縦長画面状態を示す要部側断面図である。
【００２８】
本実施形態の薄型表示装置は、図１に示すように、略長方形の表示面を持つ薄型の表示部１と、該表示部１を支持するスタンド部２と、前記表示部１の背面における略中央部分に固設され、前記表示部１を前記スタンド部２に対して少なくとも９０°回転可能であるように保持する水平回転軸３とを備えている。
【００２９】
更に、スタンド部２には、前記水平回転軸３の回転動作に連動して、前記表示部１を上下方向に並進動作させる並進動作手段として、前記水平回転軸３が回転自在に取り付けられた、上下方向に移動自在の垂直昇降軸２１と、前記垂直昇降軸２１の上端面に当接し、前記水平回転軸３の回転動作に連動して回転するカム部２２と、前記垂直昇降軸２１の下端面を上方（カム部２２側）に付勢するバネ等の付勢部２３と、水平回転軸３の回転動作に連動してカム部２２を回動させるための連動部２４とを備えている。
【００３０】
尚、垂直昇降軸２１、カム部２２、付勢部２３のそれぞれは、スタンド部２のスタンド外殻部２５内に収納されている。また、水平回転軸３は表示部１の回転運動と連動し、垂直昇降軸２２に対しては自由に回転できる。更に、カム部２１の回転運動は連動部２４を介してこの水平回転軸３の回転運動と連動している。
【００３１】
上記構成において、カム部２２は、図２に示すように、垂直昇降軸２１の上端面と当接する当接部２２１と、外周面に設けられた凸部２２２と、連動部２４を介して水平回転軸３と連動するための回転軸２２３とが設けられている。尚、回転軸２２３は、スタンド外殻部２５との間で相対的な位置が移動しないように、回転自在な状態で該スタンド外殻部２５取り付けられている。
【００３２】
当接部２２１は、カム部２２の回転角に応じて垂直昇降軸２１との当接位置が上下に変動するような形状を呈しており、従って、表示部１の回転角に伴い垂直昇降軸２１を上下移動させることができる。一方、カム部２２の外周面の凸部２２２は、図３に示すように、垂直昇降軸２１の上端面に設けられた凹部（ガイド部）２１１に係合することで、水平回転軸３とカム部２２の回転軸２２３とのズレを抑制し、一連の回転運動が円滑に行われるように案内する機能を実現している。
【００３３】
尚、このガイド機能を実現するために、カム部２２と垂直昇降軸２１との凹凸関係は適宜反転させることが可能である。更に、上記カム部２２の回転を安定的にガイドするために、カム部２２の外周面の凸部２１２が係合する凹部（ガイド部）を、例えばスタンド外殻部２５の側面などに設けても良い。この場合も、凹凸関係は適宜反転させることが可能であることは言うまでもない。
【００３４】
また、連動部２４は、水平回転軸３とカム部２２の回転運動を連動させる役割を果たす。例えば輪形状のゴム素材を採用して、弛みが生じないように互いの軸を拘束する。ここで、伸縮自在のゴム素材を採用するのは、回転運動による互いの軸の距離が変動することに対応するためである。
【００３５】
付勢部２３は、垂直昇降軸２１の少なくとも上側あるいは下側に配置する。これによって、前記表示部１の回転動作に適度な負荷を与えることができるとともに、スタンド部２の内部にある上下方向の遊びの空間を廃止することができる。
【００３６】
また、カム部２２の当接部２２１が垂直昇降軸２１を押し下げる力や垂直昇降軸２２の重力等の各部材間に働く応力の間でバランスを適当にとることにより、垂直昇降軸２１の高さ位置の安定性を高めることができる。また、付勢部２３を垂直昇降軸２１の上側に配置した場合は、同時に表示部１の持上げ時において、スタンド外殻部２５等との衝突防止の役割も果たすことが期待できる。
【００３７】
更に、表示部１の回転角が必要以上の角度領域より大きくならないように、カム部２２には係止片２２４を設けており、所定の回転角でスタンド部２の回転規制部２５１と係止することで、必要以上の表示部１の回転を抑制している。尚、この係止部材は、回転部材（表示部１、水平回転軸３等）と回転運動をしない部材（垂直昇降軸２１、スタンド外殻部２５等）との間であれば、特に設ける部位は限定されない。
【００３８】
本実施形態の薄型表示装置は、上述のような構成としているため、図１（ａ）の表示画面を横長とした状態から、図１（ｂ）の表示画面を縦長とした状態に切替える場合、表示部１を矢印Ａ方向に回転させることにより、表示部１の背面中心部に固設された水平回転軸３が回転し、連動部２４により水平回転軸３に連結されているカム部２２も連動して回転する。
【００３９】
カム部２２の回転に伴い、当接部２１１のカム形状に応じて垂直昇降軸２１が上下昇降運動を行う。これによって、垂直昇降軸２１に設けられている水平回転軸３も上下方向に移動するため、水平回転軸３が固設された表示部１は、画面状態切替え動作中に設置面に接触することなく、且つ状態切替え前後で下端面が略同一高さになるように、回転動作をすることが可能である。
【００４０】
上述のとおり、本実施形態の薄型表示装置においては、表示部１の横長状態から縦長状態への遷移が一挙動のみで可能となり、また、表示部１の略中央部分を中心として該表示部１の回転動作を行わせることができるため、重力による回転モーメントの影響を受けずに安定した回転動作が可能となる。
【００４１】
＜第２実施形態＞
次に、本発明の薄型表示装置の第２実施形態について、図４乃至図６とともに詳細に説明するが、上記第１実施形態と同一部分には同一符号を付し、その説明は省略する。ここで、図４は本実施形態の薄型表示装置における（ａ）横長画面状態を示す背面断面図、（ｂ）縦長画面状態を示す背面断面図、図５は本実施形態の薄型表示装置におけるカム部を示す（ａ）正面図、（ｂ）側面図、図６は本実施形態の薄型表示装置における（ａ）横長画面状態を示す要部側断面図、（ｂ）縦長画面状態を示す要部側断面図である。
【００４２】
本実施形態の薄型表示装置は、図４に示すように、スタンド部２のスタンド外殻部２５内部に、上から順に付勢部２３、垂直昇降軸２１、カム部２２の各々を配置しており、図１とともに上述した第１実施形態とは逆配置の関係に有る。また、上述した第１実施形態と同様、水平回転軸３とカム部２２の回転軸２２３とは、連動部２４によって連動して回転する構成となっている。
【００４３】
カム部２２の各種機能は、第１実施形態における説明をほぼ援用することができるが、ここでは、回転軸２２３が上下方向に移動可能にスタンド外殻部２５に取り付けられている。つまり、当接部２２１による当接箇所を垂直昇降軸２１とスタンド部２の２箇所に設けることにより、垂直昇降軸２１の上下変動域は、一箇所当接時の変動域に対して二倍の効果を奏することができるからである。
【００４４】
付勢部２３は、垂直昇降軸２１の上方（カム部２２と反対側）に設け、スタンド外殻部２５の天面に適当に当接するように配置されている。これによって、例えば表示部１を作用点として急激に持上げられた場合の垂直昇降軸２１とスタンド外殻部２５との衝突を防止する役割を果たしたり、付勢部２３の適度な付勢力により、振動時のカム部２２や垂直昇降軸２１とスタンド外殻部２５との間の振動音を防止することも可能である。
【００４５】
図５及び図６において、カム部２２の外周面に形成された凸部２２２は、上述した第１実施形態と同様、垂直昇降軸２１の凹部（ガイド部）２１１に係合するとともに、スタンド部２の凹部（ガイド部）２６にも係合することによって、カム部２２の回転動作を安定化している。また、カム部２２の外周面に設けられた係止片２２４が、スタンド部２の凹部２６内に設けられた回転規制部２７と当接することによって、カム部２２の回転範囲を規制することが可能となっている。
【００４６】
以上のように、本実施形態の薄型表示装置においても、上述した第１実施形態と同様、スタンド部２に並進動作手段（垂直昇降軸２１、カム部２２、付勢部２３）を設けることによって、表示部１に特別な設計を加えることなく、表示部１の回転動作に応じて水平回転軸３の高さ位置を制御することができ、画面状態切替え動作中に表示部１が設置面に接触することなく、且つ状態切替え前後で表示部１の下端面が略同一高さになるように、表示部１を回転動作させることが可能である。
【００４７】
また、本実施形態の薄型表示装置においても、表示部１の横長状態から縦長状態への遷移が一挙動のみで可能であり、さらに、表示部１の略中央部分を中心として該表示部１の回転動作を行わせることができるため、重力による回転モーメントの影響を受けずに安定した回転動作が可能となっている。
【００４８】
＜第３実施形態＞
次に、本発明の薄型表示装置の第３実施形態について、図７乃至図９とともに詳細に説明するが、上記第１実施形態と同一部分には同一符号を付し、その説明は省略する。ここで、図７は本実施形態の薄型表示装置における（ａ）横長画面状態を示す背面断面図、（ｂ）縦長画面状態を示す背面断面図、図８は本実施形態の薄型表示装置におけるカム部を示す（ａ）正面図、（ｂ）側面図、図９は本実施形態の薄型表示装置における（ａ）横長画面状態を示す要部側断面図、（ｂ）縦長画面状態を示す要部側断面図である。
【００４９】
本実施形態の薄型表示装置は、図７に示すように、上記第１，２実施形態とは異なり、並進動作手段として水平回転軸３にカム部３１を設け、表示部１の回転と連動して、該表示部１の背面中心部に固設されている水平回転軸３及びカム部３１が回転する構成としている。
【００５０】
図８及び図９において、カム部３１には、スタンド部２の上端面に当接する当接部３１１と、外周面に設けられた凸部３１２と、スタンド部２に係止してカム部３１の回転範囲を規制する係止片３１３とが設けられている。当接部３１１は、常にスタンド部２と当接しており、カム部３１の回転角に応じて当接する高さ位置が変化する。これにより、表示部１の回転に伴って、水平回転軸３及びカム部３１が回転し、このカム部３１の当接部３１１のカム形状に従って、水平回転軸３が上下方向に変動する。ここでは、水平回転軸３が上下移動可能な状態でスタンド外殻部２５に取り付けられている。
【００５１】
また、カム部３１の凸部３１２は、スタンド部２の凹部（ガイド部）２１１に係合することによって、回転動作時の回転軸変動の防止を実現している。更に、カム部３１の係止片３１３は、スタンド部２のスタンド外殻部２５に設けられた回転規制部２５１との当接位置でカム部３１の回転動作を止め、過度の回転を防止している。
【００５２】
本実施形態の薄型表示装置は、上述のように、水平回転軸３にカム部３１を設けた構成とすることによって、表示部１に新たな設計を加えることなく、表示部１の回転動作に連動して水平回転軸３を上下方向に移動させることができるので、表示部１をその回転角に応じて適当な高さ位置に制御することが可能である。従って、画面状態切替え動作中に表示部１が設置面に接触することなく、且つ状態切替え前後で表示部１の下端面が略同一高さになるように、表示部１を回転動作させることが可能となる。
【００５３】
また、本実施形態の薄型表示装置においても、表示部１の横長状態から縦長状態への遷移が一挙動のみで可能であり、さらに、表示部１の略中央部分を中心として該表示部１の回転動作を行わせることができるため、重力による回転モーメントの影響を受けずに安定した回転動作が可能である。さらに、本実施形態の場合、上述した第１，２実施形態のものに比べて、構成が簡単であり、コストの削減も期待できる。
【００５４】
＜第４実施形態＞
次に、本発明の薄型表示装置の第４実施形態について、図１０乃至図１２とともに詳細に説明するが、上記第１実施形態と同一部分には同一符号を付し、その説明は省略する。ここで、図１０は本実施形態の薄型表示装置における（ａ）横長画面状態を示す背面断面図、（ｂ）状態遷移途中を示す背面断面図、（ｃ）縦長画面状態を示す背面断面図、図１１は本実施形態の薄型表示装置におけるレール部を示す正面図、図１２は図１０におけるＢ部を示す（ａ）要部正面図、（ｂ）要部側断面図である。
【００５５】
本実施形態の薄型表示装置は、図１０に示すように、並進動作手段として、表示部１の適当な位置に突起部１１を設けるとともに、スタンド部２に表示部１の回転動作に伴ってこの突起部１１を誘導するためのレール部２８と、表示部１の背面中心部に固設された水平回転軸３が回転自在に取着された垂直昇降軸２１とを設けている。
【００５６】
尚、上記第１，２実施形態と同様の理由により、必要に応じて垂直昇降軸２１の上方あるいは下方に付勢部を設けても良く、ここでは、垂直昇降軸２１の下方に付勢部２３を設けている。また、垂直昇降軸２１、付勢部２３はスタンド外殻部２５に収納されており、レール部２８はこのスタンド外殻部２５に固設されている。
【００５７】
本実施形態の動作原理は、次のとおりである。すなわち、表示部１の回転動作過程で突起部１１がレール部２８との間で及ぼし合う力を利用して垂直昇降軸２１を上下方向に変動させ、突起部１１がレール内周部２８１と当接しながらレール上を移動していく。あるいは逆に、表示部１を上側に持上げることで、レール内周部２８１と突起部１１とが当接して互いに力を及ぼし合いながら回転動作をし、突起部１１がレール内周部２８１と当接しながらレール上を移動していく。この機構を効率的に機能させるために、さらに以下のような各種構成を設けている。
【００５８】
レール部２８は突起部１１と当接する内周部２８１を有しているが、このレール内周部２８１の形状は略直線形状あるいは略上凸形状であることが望ましく、これは以下の理由による。
【００５９】
従来の単純な回転動作では、回転中心部分を上下左右方向に動かない固定ポイントとしているため、例えば図１０（ａ）の様に突起部１１が背面視で左下に位置すると、回転動作によってこの突起部１１の描く軌跡は下凸状の円弧になる。そこで、本実施形態においては、レール部２８を略上凸状あるいは略直線状に形成し、かつ表示部１の上下方向の移動ができるようにしている。
【００６０】
これによって、回転動作に伴い本来下凸形状を描く突起部１１の軌跡はレール部２８によって強制的に略上凸形状あるいは略直線状に矯正される。更にこの過程で、垂直昇降軸２１によって上下方向のみ可動域を有する水平回転軸３は、水平回転軸３が突起部１１と一定の距離を維持しながら移動するので、上昇して最高位置を通過して下降する軌跡を描く。
【００６１】
つまり、図１０（ａ）の状態から図１０（ｂ）の状態へ、あるいは図１０（ｂ）状態から図１０（ａ）の状態への移動には、表示部全体を持上げるためのある程度の位置エネルギーが必要とされる。したがって、逆に図１０（ａ）の状態及び図１０（ｂ）の状態を、それぞれ意図しない勝手な回転動作を起こさない安定状態として保持させることが可能となる。
【００６２】
また、上記レール内周部２８１の形状は、図１１に示すように、略波形状としても良い。このように、レール内周面を波形状にすることによって、突起部１１の急激な移動を防止し、回転動作時の製品の安全性を高めることができる。
【００６３】
更に、レール内周部２８１の断面には、図１２に示すように、断面凹形状を有する突起部１１との当接部２８２、及び突起部１１の移動を案内する断面凸状のガイド部２８３を設けても良い。あるいは、突起部１１にはレール進行方向に自由に回転可能な回転体１１１を設けても良い。このように、突起部１１自身に回動自在な回転体１１１を設けることで、該突起部１１はレール部２８の内周面上での滑らかな移動が可能となる。
【００６４】
そしてまた、レール内周部２８１あるいは回転体１１１の外周部には、例えばフエルトのような防音布素材を用いた防音層２８４，１１２を設けても良く、この場合は、レール部２８と突起部１１との間の磨耗を防止し、突起部１１の回転体１１１の回転動作時に生じる当接音を低減解消することができる。
【００６５】
さらに、本実施形態においては、スタンド部２の垂直昇降軸２１の下方に設けた付勢部２３に加えて、レール部２８の両端部にもバネ部材等の付勢部２８５、２８６を配置している。これによって、付勢部２３は垂直昇降軸２１に、付勢部２８５、２８６は突起部１１にそれぞれ当接し、上下方向の並進移動と回転動作の過程での急激な移動に対する衝撃吸収効果をもたらす。尚、付勢部２８５、２８６は、突起部１１に設けても良い。また、付勢部２３を、更に垂直昇降軸２１の上方及び下方の両側に配置すれば、垂直昇降軸２１の動作安定性はさらに高まる。
【００６６】
以上のように、本実施形態の薄型表示装置によれば、表示部１とスタンド部２との双方に並進動作手段を設けた構成とすることによって、水平回転軸３と突起部１１との間の距離が一定であるため、表示部１の回転動作に伴い突起部１１がレール部２８上を移動し、その結果、垂直昇降軸２１が上下方向に変動して、垂直昇降軸２１に設けられた水平回転軸３も上下移動することができる。
【００６７】
従って、表示部１の回転動作に応じて表示部１の高さ位置を制御することが可能となり、画面状態切替え動作中に表示部１が設置面に接触することなく、且つ状態切替え前後で表示部１の下端面が略同一高さになるように、表示部１を回転動作させることが可能となる。
【００６８】
また、本実施形態の薄型表示装置においても、表示部１の横長状態から縦長状態への遷移が一挙動のみで可能であり、さらに、表示部１の略中央部分を中心として該表示部１の回転動作を行わせることができるため、重力による回転モーメントの影響を受けずに安定した回転動作が可能である。
【００６９】
尚、上記本発明の第１〜第４実施形態においては、いずれも表示部１が自身の回転動作に伴って上下方向に並進移動する動作を、機構により実現する例について説明したが、この回転動作と並進移動動作とを連動させる手段として、機構式に限らず、マイコン等を用いた電動式制御により実現しても良い。また、上述した各実施形態を適宜組み合わせることにより、上下方向の可動範囲をより効果的に広げることも可能である。
【００７０】
【発明の効果】
本発明の薄型表示装置は、上記のような構成としているので、表示画面の横長状態から縦長状態への遷移が一挙動のみで可能となる。また、水平回転軸を表示部の略中央部分に設けているため、回転モーメントの影響を受けずに安定した回転動作が可能となる。更に、表示部を上下移動可能としているので、表示画面の縦長状態と横長状態とで表示部を最適な高さ位置に設定することが可能である。
【図面の簡単な説明】
【図１】本発明の薄型表示装置の第１実施形態における（ａ）横長画面状態を示す背面断面図、（ｂ）縦長画面状態を示す背面断面図である。
【図２】本発明の薄型表示装置の第１実施形態におけるカム部を示す（ａ）正面図、（ｂ）側面図である。
【図３】本発明の薄型表示装置の第１実施形態における（ａ）横長画面状態を示す要部側断面図、（ｂ）縦長画面状態を示す要部側断面図である。
【図４】本発明の薄型表示装置の第２実施形態における（ａ）横長画面状態を示す背面断面図、（ｂ）縦長画面状態を示す背面断面図である。
【図５】本発明の薄型表示装置の第２実施形態におけるカム部を示す（ａ）正面図、（ｂ）側面図である。
【図６】本発明の薄型表示装置の第２実施形態における（ａ）横長画面状態を示す要部側断面図、（ｂ）縦長画面状態を示す要部側断面図である。
【図７】本発明の薄型表示装置の第３実施形態における（ａ）横長画面状態を示す背面断面図、（ｂ）縦長画面状態を示す背面断面図である。
【図８】本発明の薄型表示装置の第３実施形態におけるカム部を示す（ａ）正面図、（ｂ）側面図である。
【図９】本発明の薄型表示装置の第３実施形態における（ａ）横長画面状態を示す要部側断面図、（ｂ）縦長画面状態を示す要部側断面図である。
【図１０】本発明の薄型表示装置の第４実施形態における（ａ）横長画面状態を示す背面断面図、（ｂ）状態遷移途中を示す背面断面図である。
【図１１】本発明の薄型表示装置の第５実施形態におけるレール部を示す正面断面図である。
【図１２】図１０におけるＢ部を示す（ａ）要部正面図、（ｂ）要部側断面図である。
【符号の説明】
１  表示部
１１  突起部
１１１  回転体
１１２  防音層
２  スタンド部
２１  垂直昇降軸
２１１  凹部
２２  カム部
２２１  当接部
２２２  凸部
２２３  回転軸
２２４  係止片
２３  付勢部
２４  連動部
２５  スタンド外殻部
２５１  回転規制部
２６  凹部
２７  回転規制部
２８  レール部
２８１  レール内周部
２８２  当接部
２８３  ガイド部
２８４  防音層
２８５  付勢部
２８６  付勢部
３  水平回転軸
３１  カム部
３１１  当接部
３１２  凸部
３１３  係止片
【図１】
0003595547.tif 000002
【図２】
0003595547.tif 000003
【図３】
0003595547.tif 000004
【図４】
0003595547.tif 000005
【図５】
0003595547.tif 000006
【図６】
0003595547.tif 000007
【図７】
0003595547.tif 000008
【図８】
0003595547.tif 000009
【図９】
0003595547.tif 000010
【図１０】
0003595547.tif 000011
【図１１】
0003595547.tif 000012
【図１２】
0003595547.tif 000013